(57)【特許請求の範囲】
【請求項１】
コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆う状態に装着される天板が設けられたビルトイン式のガスコンロであって、
前記カウンタトップの下面に当接して前記本体部の上方移動を抑止する固定用係止部材が、前記本体部の内方側へ引退して、前記本体部を前記カウンタトップの前記開口に挿入するときに前記カウンタトップに接触しない状態とする引退位置と、前記本体部の外方側へ突出して、前記カウンタトップの下面に当接する当接位置とに切換え自在に前記本体部に設けられ、
前記固定用係止部材が、前記本体部の内外方向にスライド移動自在に、且つ、上下動自在に支持されて、前記スライド移動と前記上下動とにより、前記引退位置と前記当接位置とに切換えられるように構成され、
前記固定用係止部材が、前記スライド移動における前記本体部内方側の端部を、前記本体部に設けた支持枠にスライド移動自在で且つ揺動自在に枢支されているビルトイン式のガスコンロ。
【請求項２】
前記固定用係止部材が、前記引退位置から前記当接位置への切換えを、前記本体部の上方側から操作可能に設けられ、且つ、前記固定保持手段が、前記本体部の上方側から操作可能に設けられている請求項１記載のビルトイン式のガスコンロ。
【請求項３】
前記固定保持手段が、前記固定用係止部材を前記カウンタトップの下面に押し付けるように移動させて固定保持するネジ式の締付固定手段として構成されている請求項１又は２記載のビルトイン式のガスコンロ。
【請求項４】
前記支持枠に、前記固定用係止部材よりも上方に位置する上壁部が備えられ、その上壁部に、前記固定用係止部材の前記スライド移動方向に沿って長孔状の挿通孔が設けられ、
前記固定保持手段が、先端部が前記挿通孔を貫通し且つ前記固定用係止部材の前記本体部内方側の端部と前記本体部外方側の端部との間の位置に設けられた螺合孔と螺合する頭部付きの雄ネジ部材にて構成されている請求項１〜３のいずれか１項記載のビルトイン式のガスコンロ。
【発明の詳細な説明】
【技術分野】
【０００１】
本発明は、コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆う状態に装着される天板が設けられたビルトイン式のガスコンロに関する。
【背景技術】
【０００２】
かかるビルトイン式のガスコンロは、本体部が、カウンタトップに形成した矩形状の開口に挿入される状態で装着され、その本体部が天板にて覆われるものであるから、使い易く、また、カウンタトップの上部側箇所を美麗な状態にできるものである。
また、本体部の上端に備える鍔部がカウンタトップ側に係止支持された状態で、カウンタトップに組み付けられるものであるから、本体部の組み付け作業が行い易いものでありながらも、本体部をカウンタトップに的確に支持することができるものとなる。
【０００３】
このようなビルトイン式のガスコンロの従来例として、板状の当て付け部材が、本体部の側壁部に沿う引退姿勢と外方に突出する外方突出姿勢とに切換えることができるように、本体部の側壁部に揺動自在に支持され、当て付け部材を引退姿勢から外方突出姿勢に押し操作するビスが、本体部の側壁部に貫通し且つ螺進移動するように螺合する状態で設けられ、ビスの螺進によって当て付け部材を引退姿勢から外方突出姿勢に切換えて、当て付け部材をカウンタトップの開口の内側面に押し付けるように構成されたものがある（例えば、特許文献１参照）。
【先行技術文献】
【特許文献】
【０００４】
【特許文献１】特開平１０−３００１０３号公報
【発明の概要】
【発明が解決しようとする課題】
【０００５】
上記特許文献１のビルトイン式のガスコンロは、当て付け部材をカウンタトップの開口の内側面に押し付ける状態とすることによって、当て付け部材とカウンタトップの開口の内側面との間の摩擦力にて本体部の上方移動を抑止するようになっている。
しかしながら、当て付け部材とカウンタトップの開口の内側面との間の摩擦力だけでは、本体部の上方移動を的確に抑止できない虞があった。
すなわち、上記のようにビスによって当て付け部材をカウンタトップの開口の内側面に押し付けたとしても、摩擦力は十分な大きさとすることができないものであるから、抑止できる力には限度があり、本体部の上方移動を抑止する力が不足する虞があった。
【０００６】
本発明は、上記実情に鑑みてなされたものであって、その目的は、本体部の上方移動を的確に抑止することができるビルトイン式のガスコンロを提供することにある。
【課題を解決するための手段】
【０００７】
本発明のビルトイン式のガスコンロは、コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆う状態に装着される天板が設けられたものであって、
その第１特徴構成は、前記カウンタトップの下面に当接して前記本体部の上方移動を抑止する固定用係止部材が、前記本体部の内方側へ引退して、前記本体部を前記カウンタトップの前記開口に挿入するときに前記カウンタトップに接触しない状態とする引退位置と、前記本体部の外方側へ突出して、前記カウンタトップの下面に当接する当接位置とに切換え自在に前記本体部に設けられ、
前記固定用係止部材を前記当接位置に固定して保持する固定保持手段が、前記本体部に設けられ、
前記固定用係止部材が、前記本体部の内外方向にスライド移動自在に、且つ、上下動自在に支持されて、前記スライド移動と前記上下動とにより、前記引退位置と前記当接位置とに切換えられるように構成され、
前記固定用係止部材が、前記スライド移動における前記本体部内方側の端部を、前記本体部に設けた支持枠にスライド移動自在で且つ揺動自在に枢支されている点にある。
【０００８】
すなわち、本体部をカウンタトップの開口に挿入するときには、固定用係止部材をカウンタトップに接触しない引退位置としておくことにより、固定用係止部材が邪魔にならない状態で、本体部をカウンタトップの開口に挿入できる。
そして、そのようにして本体部をカウンタトップの開口に挿入した状態で、固定用係止部材を本体部の外方側へ突出してカウンタトップの下面に当接する当接位置に切換え、さらに、固定保持手段にて、その固定用係止部材を当接位置に固定して保持することとなる。
【０００９】
つまり、固定用係止部材は、カウンタトップの下面に受止められることによって、その上方移動が抑制されることにより、本体部の上方移動を抑止するものであるから、本体部の上方移動を抑止する力を十分な大きさにすることができるため、本体部の上方移動を的確に抑止することができる。
【００１０】
要するに、本発明の第１特徴構成によれば、本体部の上方移動を的確に抑止することが可能なビルトイン式のガスコンロを提供できる。
また、本発明の第１特徴構成によれば、固定用係止部材は、本体部の内外方向における内方から外方へのスライド移動、及び、上下方向における下方から上方への上下移動によって、引退位置から当接位置に切換えられることになるから、固定用係止部材を設置するスペースのコンパクト化を図れるものとなる。
説明を加えると、固定用係止部材を、カウンタトップへの当接側端部とは反対側の端部を支点として上下に揺動するように本体部に支持して、上下揺動のみによって引退位置と当接位置とに切換えるように構成することが考えられる。つまり、例えば、固定用係止部材が支点から吊り下がる姿勢とした状態を固定用係止部材の引退位置とし、且つ、その引退位置から上方に揺動させて、当接側端部をカウンタトップの下面に接する位置に揺動移動させた状態を固定用係止部材の当接位置とするように構成することが考えられるが、このような構成では、引退位置において固定用係止部材が支点から下方に大きく延びる状態になる等に起因して、固定用係止部材を引退位置から当接位置に切換え自在に設けるための上下方向のスペースが大きくなり、コンパクト化が図り難いものとなる。
これに対して、本発明の第１特徴構成によれば、固定用係止部材は、本体部の内外方向における内方から外方へのスライド移動、及び、上下方向における下方から上方への上下移動によって、引退位置から当接位置に切換えられるものであるから、固定用係止部材を引退位置から当接位置に切換え自在に設けるための上下方向のスペースが小さくなり、コンパクト化を図ることが可能となる。
要するに、本発明の第１特徴構成によれば、上記作用効果に加えて、固定用係止部材を設置するスペースのコンパクト化を図ることが可能なビルトイン式のガスコンロを提供できる。
また、本発明の第１特徴構成によれば、固定用係止部材が、スライド移動における本体部内方側の端部を、本体部に設けた支持枠にスライド移動自在で且つ揺動自在に枢支されるものであるから、単に支持枠を用いるだけの簡素な構成で、固定用係止部材をスライド移動自在且つ揺動自在に支持することができるものとなる。
要するに、本発明の第１特徴構成によれば、上記作用効果に加えて、簡素な構成で固定用係止部材をスライド移動自在且つ揺動自在に支持することができるビルトイン式のガスコンロを提供できる。
【００１１】
本発明の第２特徴構成は、上記した第１特徴構成に加えて、前記固定用係止部材が、前記引退位置から前記当接位置への切換えを、前記本体部の上方側から操作可能に設けられ、且つ、前記固定保持手段が、前記本体部の上方側から操作可能に設けられている点にある。
【００１２】
すなわち、固定用係止部材を、本体部の上方側からの操作によって引退位置から当接位置へ切換えることができ、又、固定保持手段を、本体部の上方側からの操作によって当接位置に固定する状態にすることができる。
したがって、固定用係止部材に対する操作や固定保持手段に対する操作を、前かがみになることはあるものの、立ち姿勢である楽な姿勢で行えるため、固定用係止部材に対する操作や固定保持手段に対する操作を容易に行えるものとなる。
【００１３】
要するに、本発明の第２特徴構成によれば、上記第１特徴構成による作用効果に加えて、固定用係止部材に対する操作や固定保持手段に対する操作を容易に行うことが可能なビルトイン式のガスコンロを提供できる。
【００１４】
本発明の第３特徴構成は、上記した第１又は第２特徴構成に加えて、前記固定保持手段が、前記固定用係止部材を前記カウンタトップの下面に押し付けるように移動させて固定保持するネジ式の締付固定手段として構成されている点にある。
【００１５】
すなわち、固定用係止部材をカウンタトップの下面に当接させた状態で固定保持するにあたり、固定用係止部材をネジ式の締付固定手段によってカウンタトップの下面に押し付けることができる。
そして、ネジ式の締付固定手段は、その締付けにより固定用係止部材をカウンタトップの下面に十分な押圧力をもって押し付けた状態にすることができ、本体部の上方移動をより的確に抑止することができるものとなる。
【００１６】
要するに、本発明の第３特徴構成によれば、上記第１又は第２特徴構成による作用効果に加えて、本体部の上方移動をより的確に抑止できるビルトイン式のガスコンロを提供できる。
【００２２】
本発明の第４特徴構成は、上記した第１〜第３特徴構成のいずれかに加えて、
前記支持枠に、前記固定用係止部材よりも上方に位置する上壁部が備えられ、その上壁部に、前記固定用係止部材の前記スライド移動方向に沿って長孔状の挿通孔が設けられ、
前記固定保持手段が、先端部が前記挿通孔を貫通し且つ前記固定用係止部材の前記本体部内方側の端部と前記本体部外方側の端部との間の位置に設けられた螺合孔と螺合する頭部付きの雄ネジ部材にて構成されている点にある。
【００２３】
すなわち、固定保持手段が頭部付きの雄ネジ部材にて構成されて、その雄ネジ部材が、固定用係止部材よりも上方に位置する支持枠の上壁部に固定用係止部材のスライド移動方向に沿って設けられた長孔状の挿通孔を貫通して固定用係止部材と螺合するものであるから、雄ネジ部材をスライド移動操作することによって、固定用係止部材を支持枠に対してスライド移動させることができ、また、雄ネジ部材を締付け操作することによって、固定用係止部材を上方向に移動させて、前記カウンタトップの下面に押し付けることができるものとなる。
【００２４】
このように、固定用係止部材が、固定保持手段としての頭部付きの雄ネジ部材に対する操作にて、固定用係止部材のスライド移動操作や上方移動操作が行なわれるものであるから、雄ネジ部材に対する操作を行うだけの簡易な操作で、固定用係止部材を当接位置に固定し保持することができるものとなる。
【００２５】
要するに、本発明の第４特徴構成によれば、上記第１〜第３特徴構成のいずれかによる作用効果に加えて、簡易な操作にて固定用係止部材を当接位置に固定し保持することが可能なビルトイン式のガスコンロを提供できる。
【図面の簡単な説明】
【００２６】
【図１】左端高火力型コンロを装備した加熱調理設備の斜視図
【図２】右端高火力型コンロを装備した加熱調理設備の斜視図
【図３】ガスコンロ装着部の縦断側面図
【図４】ガスコンロを離脱させた状態のガスコンロ装着部の切欠正面図
【図５】ガスコンロ装着部の切欠き正面図
【図６】同部を破断した状態の斜視図
【図７】ガスコンロの天板を外した状態の平面図
【図８】ガスコンロを破断した状態の斜視図
【図９】ガスコンロ装着部の前端側箇所を示す縦断側面図
【図１０】ガスコンロ装着部の後端側箇所を示す縦断側面図
【図１１】載置枠の左端高火力型コンロ用の縦枠部分を示す斜視図
【図１２】図１１におけるＸＩＩ−ＸＩＩ線矢視図
【図１３】載置枠の横枠部分を示す斜視図
【図１４】同枠部分の縦断側面図
【図１５】載置枠の右端高火力型コンロ用の縦枠部分を示す斜視図
【図１６】図１５におけるＸＶＩ−ＸＶＩ線矢視図
【図１７】天板の平面図
【図１８】天板の裏面図
【図１９】天板の正面図
【図２０】ガラスプレート固定部の縦断側面図
【図２１】ガラスプレート固定具の斜視図
【図２２】天板引き操作手段の切欠き側面図
【図２３】同手段の切欠き側面図
【図２４】同手段の正面図
【図２５】固定用係止部材の斜視図
【図２６】同部材の分解斜視図
【図２７】固定用係止部材による本体部の固定手順を示す図
【図２８】誤設置状態を示す破断斜視図
【図２９】誤設置状態を示す破断斜視図
【発明を実施するための形態】
【００２７】
〔実施形態〕
次に、本発明の実施形態を図面に基づいて説明する。
図１及び図２に示すように、コンロバーナ１を横幅方向に並べた状態で備えるビルトインコンロとしてのビルトイン式のガスコンロＧが、キッチンカウンターＫのカウンタトップＫａに形成した矩形状の開口２（図４参照）に挿入される状態で装着されて加熱調理設備が構成されている。
【００２８】
本実施形態においては、コンロバーナ１として、３つのコンロバーナ１Ｌ、１Ｍ、１Ｒが横方向に並べて備えられている。
そして、ガスコンロＧとして、３つのコンロバーナ１Ｌ〜１Ｒのうちの、一端側のコンロバーナとしての左端のコンロバーナ１Ｌの最大火力が、他端側のコンロバーナとしての右端のコンロバーナ１Ｒの最大火力よりも大きくなるように構成された左端高火力型コンロＧＬ（図１参照）と、３つのコンロバーナ１Ｌ〜１Ｒのうちの、一端側のコンロバーナとしての右端のコンロバーナ１Ｒの最大火力が、他端側のコンロバーナとしての左端のコンロバーナ１Ｌの最大火力よりも大きくなるように構成された右端高火力型コンロＧＲ（図２参照）とがある。
【００２９】
ちなみに、本実施形態においては、左端高火力型コンロＧＬにおける中間のコンロバーナ１Ｍの最大火力が、左端のコンロバーナ１Ｌと同じ火力となるように構成され、右端高火力型コンロＧＲにおける中間のコンロバーナ１Ｍの最大火力が、右端のコンロバーナ１Ｒと同じ火力となるように構成されているが、中間のコンロバーナ１Ｍの最大火力は、種々変更できるものである。
【００３０】
また、カウンタトップＫａに形成される開口２が、カウンタトップＫａの横幅方向において、３つのコンロバーナ１Ｌ〜１Ｒのうちの最大火力が一端側のコンロバーナよりも低い他端側のコンロバーナが存在する側に偏った位置に形成されている。
すなわち、キッチンカウンターＫとして、開口２がカウンタトップＫａの横幅方向において右側に偏った位置に形成された左端高火力型用カウンターＫＬ（図１参照）と、開口２がカウンタトップＫａの横幅方向において左側に偏った位置に形成された右端高火力型用カウンターＫＲ（図２参照）とがある。
【００３１】
そして、左端高火力型コンロＧＬを左端高火力型用カウンターＫＬに装着した状態や、右端高火力型コンロＧＲを右端高火力型用カウンターＫＲに装着した状態においては、３つのコンロバーナ１Ｌ〜１Ｒのうちの最大火力が高火力となる一端側のコンロバーナとそのコンロバーナに隣接するカウンタトップＫａの横端部との間隔ＬＨが、３つのコンロバーナ１Ｌ〜１Ｒのうちの最大火力が一端側のコンロバーナよりも低い他端側のコンロバーナとそれに隣接するカウンタトップＫａの横端部との間隔Ｌｈよりも大きくなるように構成されている。
【００３２】
したがって、左端高火力型コンロＧＬを装着した左端高火力型用カウンターＫＬや、右端高火力型コンロＧＲを装着した右端高火力型用カウンターＫＲは、建物の壁部がその両横側のいずれの側に位置しても、建物の壁部を過熱することを回避できるものとなる。
つまり、キッチンカウンターＫの設置箇所が、左右いずれの側に壁部が存在する場合であっても、使用者の好みに合わせて、左端高火力型コンロＧＬを装着した左端高火力型用カウンターＫＬ及び右端高火力型コンロＧＲを装着した右端高火力型用カウンターＫＲを選択して設置できるものとなる。
【００３３】
以下、左端高火力型コンロＧＬ及び左端高火力型用カウンターＫＬを代表にして、ガスコンロＧ及びキッチンカウンターＫについて説明を加える。
尚、以下の説明において、３つのコンロバーナ１Ｌ〜１Ｒを区別する必要がないときには、単に、コンロバーナ１と記載し、左端高火力型コンロＧＬと右端高火力型コンロＧＲとを区別する必要がないときには、単に、ガスコンロＧと記載し、さらに、左端高火力型用カウンターＫＬと右端高火力型用カウンターＫＲとを区別する必要が無いときには、単に、キッチンカウンターＫと記載する。
【００３４】
図３に示すように、ガスコンロＧは、コンロバーナ１を備える本体部Ｇ１、天板Ｇ２、及び、操作部Ｇ３を主要部として構成されている。
本体部Ｇ１が、カウンタトップＫａの開口２に挿入される状態で、且つ、その上端に備える鍔部３がカウンタトップ側に係止支持される状態で、カウンタトップＫａに組み付けられている。
天板Ｇ２が、カウンタトップＫａに組み付けられた本体部Ｇ１を覆い且つ周縁部をカウンタトップＫａの上面に接当させる状態に装着され、また、天板Ｇ２の上部には、五徳Ｄが装備されている。
【００３５】
本体部Ｇ１は、図８にも示すように、底壁及び側壁を備えた金属製の有底筒状のケーシング４の内部に、コンロバーナ１等の機器類を収納して構成され、そのケーシング４の上端に、そのケーシング４と一体形成される状態で鍔部３が設けられている。
【００３６】
ケーシング４は、上方側部分４Ｕが下方側部分４Ｄよりも、平面視形状が大きくなるように形成されており、図３及び図８に示すように、上方側部分４Ｕが、下方側部分４Ｄよりも前方側に大きく張り出す張り出し部４Ｕｈを備えるように構成されている。
そして、上方側部分４Ｕの張り出し部４Ｕｈの下面を利用して、後述の如く、ケーシング４がキッチンカウンターＫに固定されるようになっている。
【００３７】
本実施形態においては、本体部Ｇ１が、カウンタトップＫａの前縁よりも後方側に大きく引退した位置に装着され、天板Ｇ２が、本体部Ｇ１の装着箇所を覆う状態で装着されており、カウンタトップＫａにおける天板Ｇ２よりも前側部分が、調理作業面を構成するようになっている。
【００３８】
操作部Ｇ３は、横長の帯板状に形成されて、その上面部に、３つのコンロバーナ１Ｌ〜１Ｒの点火及び消火、並びに、火力調整等の操作を行う操作スイッチ類を備えている。
そして、上述の如く、本体部Ｇ１や天板Ｇ２がカウンタトップＫａの前縁よりも後方側に引退した位置に装着されるのに対して、操作部Ｇ３は、キッチンカウンターＫの前縁側部分に装着されている。
【００３９】
具体的には、操作部Ｇ３が、カウンタトップＫａの下方側に収納される収納位置とカウンタトップＫａの前方側に突出する突出位置とに位置変更自在に支持されて、突出位置に位置された状態において、３つのコンロバーナ１Ｌ〜１Ｒの点火及び消火、並びに、火力調整等の操作を行えるようになっている。
尚、例示はしないが、収納位置に位置する操作部Ｇ３を後方側に少し押し込み操作することにより、操作部Ｇ３を突出位置に自動的に位置変更操作し、突出位置に位置する操作部Ｇ３を収納位置に押し込み操作することにより、収納位置に自動的に保持する操作部保持機構が設けられている。
【００４０】
また、図１及び図２に示すように、キッチンカウンターＫの前面における操作部Ｇ３の横側箇所には、消火ボタンＢが装備されており、操作部Ｇ３を収納位置に収納してコンロバーナ１を燃焼させている状態において、コンロバーナ１を消火するときに、この消火ボタンＢを押し操作することにより、コンロバーナ１を消火させることができるようになっている。
ちなみに、消火ボタンＢが押し操作されると、３つのコンロバーナ１Ｌ、１Ｍ、１Ｒのうちの点火しているものが全て消火されることになる。
【００４１】
本体部Ｇ１の鍔部３は、図７及び図８に示すように、本体部Ｇ１の前側に延びる前側の鍔部分３Ｆ、本体部Ｇ１の後側に延びる後側の鍔部分３Ｂ、本体部Ｇ１の左側に延びる左側の鍔部分３Ｌ、及び、本体部Ｇ１の右側に延びる右側の鍔部分３Ｒからなる。
これら鍔部分３Ｆ〜３Ｒは、本体部Ｇ１の同じ高さに形成されている。
【００４２】
そして、本体部Ｇ１の鍔部３を含めた前後幅及び横幅が、開口２の前後幅及び横幅よりも小さく形成され、鍔部３を載置支持する載置枠５が、開口２の縁部に係止支持される状態で設けられている。
そして、鍔部３が、開口２の縁部にて係止支持された載置枠５の縁部載置面Ｓに載置されることにより、カウンタトップ側に係止支持されるように構成されている。
【００４３】
開口２の縁部が、カウンタトップＫａの上面よりも下方側に位置する段部状に形成されており、載置枠５が、段部状の縁部に載置されるようになっている。
本実施形態においては、段部状の縁部として、図４、及び、図７に示すように、開口２の前縁に沿って形成される前方側の縁部ＥＦ、開口２の後縁に沿って形成される後方側の縁部ＥＢ、開口２の左縁に沿って形成される左方側の縁部ＥＬ、及び、開口２の右縁に沿って形成される右方側の縁部ＥＲが設けられている。ちなみに、これら縁部ＥＦ〜ＥＲの上面の高さは同じ高さである。
【００４４】
載置枠５が、図７に示す如く、カウンタトップＫａの前後幅方向に伸びる長尺状に形成されて、その前後両端が開口２の前方側及び後方側の縁部ＥＦ、ＥＢに係止支持されるように載置される左右一対の縦枠部分５Ａ、及び、カウンタトップＫａの横幅方向に伸びる長尺状に形成されて、その左右端部が左右一対の縦枠部分５Ａに係止支持されるように載置され、且つ、開口２の前方側の縁部ＥＦに隣接する箇所に配置される横枠部分５Ｂを備えるように構成されている。
【００４５】
そして、鍔部３における本体部Ｇ１の左右に位置する左右鍔部分３Ｌ、３Ｒが、左右一対の縦枠部分５Ａに載置され、鍔部３における本体部Ｇ１の前後に位置する前後鍔部分３Ｆ、３Ｂのうちの、横枠部分５Ｂが存在する側の前方側の鍔部分３Ｆが、横枠部分５Ｂに載置され、横枠部分５Ｂが存在しない側の後方側の鍔部分３Ｂが、後方側の縁部ＥＢに載置されるように構成されている。
【００４６】
左右の縦枠部分５Ａは、同じ仕様であって、図１１及び図１２に示すように、断面形状逆Ｕ字状の主体部分Ａ１の両端に、前後の縁部ＥＦ、ＥＢに係止支持されるように載置される板状の端部部分Ａ２を備えるものであり、主体部分Ａ１の上面にて、鍔部載置面Ｓが形成されている。
また、主体部分Ａ１が、端部部分Ａ２に対して、その端部部分Ａ２の板厚部分だけ下方に位置するよう形成されており、主体部分Ａ１の上面にて形成される鍔部載置面Ｓが、前後や左右の縁部ＥＦ〜ＥＲの上面の高さと同じ高さになるように構成されている。
【００４７】
横枠部分５Ｂは、図１３及び図１４に示すように、断面形状逆Ｕ字状の主体部分Ｂ１の両端に、左右の縦枠部分Ａ１に係止支持されるように載置される板状の端部部分Ｂ２を備えるものであり、主体部分Ｂ１の上面にて、鍔部載置面Ｓが形成されている。
また、主体部分Ｂ１が、端部部分Ｂ２に対して、その端部部分Ｂ２の板厚部分だけ下方に位置するよう形成されており、主体部分Ｂ１の上面にて形成される鍔部載置面Ｓが、前後や左右の縁部ＥＦ〜ＥＲの上面の高さと同じ高さとなるように構成されている。
【００４８】
横枠部分５Ｂの端部部分Ｂ２には、下向きの舌片６が切り出し形成され、縦枠部分５Ａの主体部分Ａ１における開口２の前縁側に相当する部分には、横枠部分５Ｂの舌片６が嵌合する嵌合孔７が形成されている。
尚、縦枠部分５Ａは、開口２における左方側箇所に配置する場合と右方側箇所に配置する場合とがあり、且つ、横枠部分５Ｂが縦枠部分５Ａに載置された状態において、横枠部分５Ｂの舌片６が縦枠部分５Ａの横幅方向における中央よりも端部側に位置するため、縦枠部分５Ａには、嵌合孔７が左右一対形成されている。
【００４９】
そして、本実施形態においては、左右一対の縦枠部分５Ａに形成された嵌合孔７と横枠部分５Ｂに形成された舌片６とが、左右一対の縦枠部分５Ａが前後適正姿勢で開口２の縁部に装着された場合には、設定組付位置に位置させた横枠部分５Ｂの両端部を左右一対の縦枠部分５Ａに載置するときに係合状態となり、左右一対の縦枠部分５Ａが前後反転姿勢で開口２の縁部に装着された場合には、設定組付位置に位置させた横枠部分５Ｂの両端部を左右一対の縦枠部分５Ａに載置するときに非係合状態となるように構成されている。
【００５０】
図１１、及び、図１２に示す縦枠部分５Ａは、左端高火力型コンロＧＬを左端高火力型用カウンターＫＬに装着する際に使用するものであり、その上面には、「Ｌ」のマークが刻印されている。
そして、図１５、及び、図１６に示す縦枠部分５Ａは、右端高火力型コンロＧＲを右端高火力型用カウンターＫＲに装着する際に使用するものであり、その上面には、「Ｒ」のマークが刻印されている。
つまり、左端高火力型コンロＧＬに使用する縦枠部分５Ａと横枠部分５Ｂとから、左端高火力型用の載置枠５Ｌが構成され、また、右端高火力型コンロＧＲに使用する縦枠部分５Ａと横枠部分５Ｂとから、右端高火力型用の載置枠５Ｒが構成されている。
【００５１】
左端高火力型コンロＧＬに使用する縦枠部分５Ａと、右端高火力型コンロＧＲに使用する縦枠部分５Ａとは、同様に構成されるものであるが、誤設置防止のために、一部が異なる状態に構成されている。
すなわち、左端高火力型コンロＧＬに使用する縦枠部分５Ａにおいては、図１１及び図１２に示すように、主体部分Ａ１の左右の縦壁部ＡＬ、ＡＲのうちの左側の縦壁部ＡＬが、右側の縦壁部ＡＲよりも長くなる状態に形成されて、その先端部にて牽制用凸部Ｆａが構成されている。
これに対して、右端高火力型コンロＧＲに使用する縦枠部分５Ａにおいては、図１５及び図１６に示すように、主体部分Ａ１の左右の縦壁部ＡＬ、ＡＲのうちの右側の縦壁部ＡＲが、左側の縦壁部ＡＬよりも長くなる状態に形成されて、その先端部にて牽制用凸部Ｆａが構成される。
【００５２】
そして、図４、図５及び図２８に示すように、左端高火力型用カウンターＫＬにおける開口２の右側の縁部ＥＲよりも内方側の下方箇所には、左端高火力型コンロ用の載置枠５Ｌにおける縦枠部分５Ａが開口２の縁部に装着されるのを許容しかつ右端高火力型コンロ用の載置枠５Ｒにおける縦枠部分５Ａが開口２の縁部に装着されるのを牽制用凸部Ｆａとの接当により牽制する牽制用当たり部Ｆｂが設けられている。
つまり、右端高火力型コンロ用の載置枠５Ｒを左端高火力型用カウンターＫＬに装着しようとすると、牽制用凸部Ｆａが牽制用当たり部Ｆｂに接当して、右側の縦枠部分５Ａが傾くことになり、本体部Ｇ１を装着できないことになる。
【００５３】
また、図２９に示すように、右端高火力型用カウンターＫＲにおける開口２の左側の縁部ＥＬよりも内方側の下方箇所には、右端高火力型コンロ用の載置枠５Ｒにおける縦枠部分５Ａが開口２の縁部に装着されるのを許容しかつ左端高火力型コンロ用の載置枠５Ｌにおける縦枠部分５Ａが開口２の縁部に装着されるのを牽制用凸部Ｆａとの接当により牽制する牽制用当たり部Ｆｂが設けられている。
つまり、左端高火力型コンロ用の載置枠５Ｌを右端高火力型用カウンターＫＲに装着しようとすると、牽制用凸部Ｆａが牽制用当たり部Ｆｂに接当して、左側の縦枠部分５Ａが傾くことになり、本体部Ｇ１を装着できないことになる。
【００５４】
したがって、牽制用凸部Ｆａと牽制用当たり部Ｆｂとの接当により、左端高火力型コンロＧＬの右端高火力型用カウンターＫＲへの装着を牽制し、かつ、右端高火力型コンロＧＲの左端高火力型用カウンターＫＬへの装着を牽制して、左端高火力型用カウンターＫＬには左端高火力型コンロＧＬが装着され、かつ、右端高火力型用カウンターＫＲには右端高火力型コンロＧＲが装着される適正な装着状態を的確に現出できるように構成されている。
【００５５】
上述の如く、開口２の縁部、つまり、前方側の縁部ＥＦ、後方側の縁部ＥＢ、左方側の縁部ＥＬ、及び、右方側の縁部ＥＲが、カウンタトップＫａの上面よりも下方側に位置する段部状に形成されているため、天板Ｇ２が、開口２に嵌合される状態で装着されて、その上面がカウンタトップＫａの上面と同じ高さになるように構成されている。
【００５６】
天板Ｇ２は、図１７〜図２１に示すように、ガラスプレート１０、そのガラスプレート１０の下面側に位置する金属製の載置プレート１１、及び、周縁枠１２を主要部として構成されている。
周縁枠１２は、図２０に示すように、断面形状がＴ字状であり、上部の外側延出部分が、パッキン１３を介してカウンタトップＫａの上面に接当するカウンタトップ接当部分１２ａとして構成され、上部の内側延出部分が、ガラスプレート１０の上面に接当するガラスプレート接当部分１２ｂとして構成されている。
【００５７】
周縁枠１２の内面側部分には、図１８に示すように、載置プレート１１を載置支持するガラスプレート固定具１４が、周縁枠１２の長手方向の複数箇所に設けられている。
このガラスプレート固定具１４は、図２１に示すように、周縁枠１２の長手方向に沿って伸びる長尺状でかつ緩やかに弓形状に湾曲する縦板部分１４ａ、及び、この縦板部分１４ａの両端部から水平方向に突出する支持板部分１４ｂを主要部として構成され、縦板部分１４ａには、周縁枠１２の内面側部に形成した係合凹部１２ｃに係合する係合凸部１４ｃが、打ち出し形成されている。
【００５８】
したがって、ガラスプレート固定具１４が、縦板部分１４ａの係合凸部１４ｃを周縁枠１２の係合凹部１２ｃに係合させた状態で、周縁枠１２の内面側部に装着されることになり、そして、ガラスプレート１０及び載置プレート１１が、ガラスプレート固定具１４の支持板部分１４ｂと周縁枠１２のガラスプレート接当部分１２ｂとの間に挟まれる状態で、周縁枠１２に支持されるように構成されている。
尚、図２０においては記載を省略するが、周縁枠１２、ガラスプレート固定具１４、ガラスプレート１０の端面部分、及び、載置プレート１１の端面部分にて囲まれる空間部分には、シリコンが充填されるようになっている。
【００５９】
また、天板Ｇ２には、図１７及び図１８に示すように、コンロバーナ１を挿通する開口部が形成され、その開口部には、バーナリング１５が装着されている。
このバーナリング１５は、その下面側においてはコンロバーナ１と係合し、かつ、その上面側においては五徳Ｄを位置決め保持するように構成されている。
【００６０】
キッチンカウンターＫは、図１及び図２に示すように、下方枠部分Ｄ１と上方枠部分Ｄ２とが段積みされた状態に構成され、上方枠部分Ｄ２の上部に、カウンタトップＫａが装着されている。
上方枠部分Ｄ２は、図３〜図５に示すように、左右の側板１６Ａ、背板１６Ｂ、底板１６Ｃ、及び、底板１６Ｃから立設された仕切り板１６Ｄを備え、また、前面部には、左右の開閉扉１６Ｅ、１６Ｆ、及び、それら開閉扉１６Ｅ、１６Ｆの上方に位置する前側板１６Ｇを備えている。
尚、例示図では、左端高火力型用カウンターＫＬでは、右方側の方を左方側よりも大きな空間とするように仕切り板１６Ｄが配置され、右端高火力型用カウンターＫＲでは、左方側の方を右方側よりも大きな空間とするように仕切り板１６Ｄが配置されている。
【００６１】
上方枠部分Ｄ２の内部の上方側箇所で、且つ、本体部Ｇ１のケーシング４における上方側部分４Ｕの張り出し部４Ｕｈの下方に相当する箇所に、キッチンカウンターＫの横幅方向に伸びる木製の連結板１７が設けられている。
この連結板１７は、左右の側板１６Ａに亘る大きさに形成され、また、ケーシング４の上方側部分４Ｕの張り出し部４Ｕｈの下方に位置する部分の高さが、ケーシング４の上方側部分４Ｕの底面が位置する高さよりも少し低い高さとなり、かつ、左右の端部側部分の高さが、カウンタトップＫａの底面に接触する高さとなるように構成されている。
【００６２】
そして、連結板１７は、左右の端部側部分が左右の側板１６Ａに接続され、かつ、左右の端部側部分の上面が、カウンタトップＫａの底面に接続されて、上方枠部分Ｄ２の強度部材として、つまり、カウンター構成部材として機能するように構成されている。
尚、連結板１７とケーシング４の上方側部分４Ｕの張り出し部４Ｕｈの底面との間には、シール材１８が配設されている。
【００６３】
連結板１７と前側板１６Ｇとの間に、左右の側板１６Ａに亘る大きさの薄板状の前遮蔽板１９が配設され、その前遮蔽板１９よりも上方の空間が、上述した操作部Ｇ３や、その操作部Ｇ３と本体部Ｇ１とを接続する電線類等を配設する収納空間として機能するように構成されている。
この前遮蔽板１９は、後端側が連結板１７の前面の凹溝に嵌合し、且つ、前端側が前側板１６Ｇの裏面側に設けられた枠体に着脱自在にビス等により連結された状態で設けられて、着脱できるように構成されており、後述の如く、ガスコンロＧの本体部Ｇ１や天板Ｇ２を装着する作業を行うときには、取り外されることになる。
【００６４】
連結板１７の下方部と背板１６Ｂとの間には、本体部Ｇ１の下方側箇所を覆う後遮蔽板２０が設けられている。
この後遮蔽板２０は、左右の側板１６Ａに亘る大きさに形成されて、両端部が左右の側板１６Ａに着脱自在に接続されており、後述の如く、ガスコンロＧの本体部Ｇ１や天板Ｇ２を装着する作業を行うときには、取り外されることになる。
【００６５】
ちなみに、上方枠部分Ｄ２の内部の上方側空間、つまり、ガスコンロＧが配設されることになる上方側空間が、前遮蔽板１９、連結板１７、及び、後遮蔽板２０にて、下方側空間と遮蔽されるため、開閉扉１６Ｅ、１６Ｆを開閉したときに、上方側空間内に空気が出入することが抑制されて、コンロバーナ１の燃焼に悪影響を与えることが回避されるようになっている。
【００６６】
本実施形態においては、ガスコンロＧの本体部Ｇ１を開口２の縁部ＥＬ、ＥＲ、ＥＦ、ＥＢからの浮き上がりを阻止するように止着する本体部止着手段Ｐ、及び、天板Ｇ２をカウンタトップＫａに押圧するように止着する天板止着手段Ｑが装備されており、以下、本体部止着手段Ｐ、及び、天板止着手段Ｑについて説明する。
【００６７】
先ず、本体部止着手段Ｐについて説明する。
図３、図５及び図６に示すように、キッチンカウンターＫにおけるカウンタトップＫａの下方側に配置される連結板１７と本体部Ｇ１のケーシング４における上方側部分４Ｕの張り出し部４Ｕｈの底面とを接続する固定金具２１が、キッチンカウンターＫの横幅方向の３箇所に設けられている。
【００６８】
固定金具２１は、図３に示すように、連結板１７に連結される鉛直姿勢のカウンター連結部２１Ｖと、本体部Ｇ１に連結される水平姿勢の本体連結部２１Ｈとを備えるＬ字状に構成されている。
そして、固定金具２１のカウンター連結部２１Ｖが、鉛直方向に沿う姿勢の連結板１７の前面に当てつけた状態で、ビス等の雄ネジ部材２２にて連結板１７に締結され、また、固定金具２１の本体連結部２１Ｈが、本体部Ｇ１の底壁部としての張り出し部４Ｕｈの底壁に当て付けた状態で、ビス等の雄ネジ部材２３にて張り出し部４Ｕｈの底壁に締結されている。
尚、本体部Ｇ１の張り出し部４Ｕｈは、金属製であるため、その底壁に形成されたビス孔２４に、雄ネジ部材２３が螺合されるようになっている。
【００６９】
ちなみに、固定金具２１を設置する手順としては、先ず、カウンター連結部２１Ｖを連結板１７に雄ネジ部材２２にて締め付け固定し、次に、本体連結部２１Ｈを張り出し部４Ｕｈに雄ネジ部材２３にて締め付け固定する手順が用いられることになり、このような手順を用いることにより、本体連結部２１Ｈを張り出し部４Ｕｈに締め付け固定する際に、ケーシング４を下方側に引っ張り操作できるため、本体部Ｇ１の鍔部３を載置枠５や開口２の後方の縁部ＥＢに圧接できることになる。
【００７０】
図３、図７及び図１０に示すように、カウンタトップＫａの下面に当接して本体部Ｇ１の上方移動（浮き上がり）を抑止する固定用係止部材２５が、カウンタトップＫａの開口２における後方側の縁部ＥＢの下面に当て付ける形態で、キッチンカウンターＫの横幅方向の２箇所に設けられている。すなわち、固定用係止部材２５が、本体部Ｇ１の内方側へ引退して、本体部Ｇ１をカウンタトップＫａの開口２に挿入するときにカウンタトップＫａに接触しない状態とする引退位置（図２７（ａ）参照）と、本体部Ｇ１の外方側へ突出して、カウンタトップＫａの下面に当接する当接位置（図２７（ｃ）参照）とに切換え自在に本体部Ｇ１に設けられている。
【００７１】
固定用係止部材２５は、図２５及び図２６に示すように、キッチンカウンターＫの前後幅方向に沿って伸びる左右の縦壁部２５Ａと、その両縦壁部２５Ａの長手方向の中間部における上部同士を接続する接続部２５Ｂとからなり、縦壁部２５Ａの先端部２５Ｈが、係止作用部として機能するように構成されている。
【００７２】
縦壁部２５Ａの後端部には、揺動支点形成用の切欠き部２６が先端側に向かって凹入する状態に形成され、また、接続部２５Ｂにおける固定用係止部材２５の本体部内方側の端部と本体部外方側の端部との間の位置には、ロック用ボルト２７の螺合孔２８が形成されている。
【００７３】
この固定用係止部材２５をその長手方向に沿ってスライド自在に且つ上下揺動自在に支持する支持枠２９が、ケーシング４の上部開口の近くに設けた支持台３０（図１０参照）にボルト固定される状態で設けられている。
支持枠２９は、側面視形状が逆Ｕ字状に形成されるものであって、その先端部には、支持台３０に対する接続部２９Ａを備え、その後端部には、固定用係止部材２５における揺動支点形成用の切欠き部２６に係合する揺動支点形成用の突起２９Ｂを備え、さらに、固定用係止部材２５よりも上方に位置することになる上壁部２９Ｕには、ロック用ボルト２７が上下に貫通する挿通孔３１が、ロック用ボルト２７のスライド移動方向に沿う長孔状に形成されている。
すなわち、支持枠２９に、固定用係止部材２５よりも上方に位置する上壁部２９Ｕが備えられ、その上壁部２９Ｕに、固定用係止部材２５のスライド移動方向に沿って長孔状の挿通孔３１が設けられている。
【００７４】
そして、固定用係止部材２５が、切欠き部２６に突起２９Ｂを係合させ、かつ、接続部２５Ｂを支持枠２９の内部に位置させる状態に配置され、頭部付きの雄ネジ部材としてのロック用ボルト２７が、支持枠２９の挿通孔３１を上方から下方に向けて貫通して、その先端を固定用係止部材２５の螺合孔２８に螺合させる状態で配置されている。
【００７５】
すなわち、固定用係止部材２５が、スライド移動における本体部内方側の端部となる切欠き部２６を、支持枠２９にて本体部Ｇ１の内外方向にスライド移動自在に、且つ、上下動としての上下揺動自在に支持されて、スライド移動並びに上下動するように構成されている。
【００７６】
また、本体部Ｇ１のケーシング４の上部開口を通して、ロック用ボルト２７の頭部を、キッチンカウンターＫの前後幅方向に沿って移動させることにより、固定用係止部材２５を、キッチンカウンターＫの前後幅方向に沿ってスライド操作でき、また、ロック用ボルト２７を正逆に回転操作することにより、突起２９Ｂを支点として、固定用係止部材２５を上下に揺動操作できるように構成されている。
【００７７】
したがって、本実施形態においては、固定用係止部材２５が、本体部Ｇ１の内外方向にスライド移動自在に、且つ、上下動自在に支持されて、スライド移動と上下動とにより、引退位置と当接位置とに切り換えられるように構成され、また、固定用係止部材２５を当接位置に固定して保持する固定保持手段が、ロック用ボルト２７を主要部として構成されることになる。
そして、ロック用ボルト２７を主要部として構成される固定保持手段が、先端部が挿通孔３１を貫通し且つ固定用係止部材２５の本体部内方側の端部と本体部外方側の端部との間の位置に設けられた螺合孔２８と螺合するように構成され、固定用係止部材２５をカウンタトップＫａの下面に押付けるように移動させて固定保持するネジ式の締付固定手段として構成されている。
【００７８】
さらに、固定用係止部材２５をキッチンカウンターＫの前後幅方向に沿ってスライド操作するために、ロック用ボルト２７の頭部をキッチンカウンターＫの前後幅方向に沿って移動操作することや、固定用係止部材２５を上下に揺動操作するために、ロック用ボルト２７を正逆に回転操作することが、本体部Ｇ１のケーシング４の上部開口を通して、ロック用ボルト２７を操作する形態で行えるものであり、本実施形態においては、固定用係止部材２５が、引退位置から当接位置への切換えを、本体部Ｇ１の上方側から操作可能に設けられ、且つ、固定保持手段としてのロック用ボルト２７が、本体部の上方側から操作可能に設けられることになる。
ちなみに、本実施形態においては、本体部Ｇ１のケーシング４の上部開口を通して、固定用係止部材２５を直接支持することが可能であるから、固定用係止部材２５のスライド操作については、本体部Ｇ１のケーシング４の上部開口を通して、固定用係止部材２５を直接支持して操作してもよい。
【００７９】
固定用係止部材２５の設置手順について説明を加えると、本体部Ｇ１を開口２に装着する際には、図２７（ａ）に示すように、固定用係止部材２５をケーシング４の内方側に引退させた引退位置にしておき、本体部Ｇ１が開口２に装着された後において、固定用係止部材２５を十分に下方側に移動させた状態で、図２７（ｂ）に示すように、ロック用ボルト２７をキッチンカウンターＫの後部側、すなわち、本体部Ｇ１の外方側に向けてスライド移動させる。
その後、ロック用ボルト２７の回転操作によって、図２７（ｃ）に示すように、固定用係止部材２５を上方に向けて揺動させて、固定用係止部材２５を、その先端部２５ＨがカウンタトップＫａの下面に当接する当接位置に切り換えることになる。
【００８０】
以上の通り、本実施形態の本体部止着手段Ｐは、本体部Ｇ１の前側部分をＬ字状の固定金具２１にて止着し、且つ、本体部Ｇ１の後側部分を固定用係止部材２５にて止着するように構成されている。
そして、固定用係止部材２５を装着する作業は、カウンタトップＫａの上方側からケーシング４の上部開口を通して、ロック用ボルト２７を操作することにより行えるため、その作業を良好に行える。
また、Ｌ字状の固定金具２１を装着する作業は、カウンタトップＫａの下方で行うことになるものの、その固定金具２１を装着する箇所が、キッチンカウンターＫの内部空間のうちの前方側部分であるため、見やすく、手が届き易い箇所であり、固定金具２１を装着する作業を良好に行える。
【００８１】
次に、天板止着手段Ｑについて説明する。
図１８、図１９、及び、図２０に示すように、天板Ｇ２の下面側には、頭付きの雄ネジ部材３２が、頭部を載置プレート１１の内方側に位置させ且つ棒状ネジ部を載置プレート１１から突出させた状態に、載置プレート１１に取付けられている。
つまり、天板Ｇ２には、下方に突出する固定用の雄ネジ部材３２が設けられている。
【００８２】
この雄ネジ部材３２は、天板Ｇ２が開口２に嵌合された状態において、載置枠５における横枠部分５Ｂの両端部や中間部に対応する位置、及び、縦枠部分５ＡにおけるカウンタトップＫａの奥側に相当する端部に対応する位置に位置させた状態で、天板Ｇ２の周縁部に沿って５つ設けられ、そして、図７及び図１１〜図１６に示すように、載置枠１５の横枠部分５Ｂや縦枠部分５Ａの雄ネジ部材３２に対応する位置には、雄ネジ部材３２を挿通させる挿通孔３３が形成されている。
【００８３】
また、図３、図５及び図９に示すように、天板Ｇ２が開口２に嵌合された状態において挿通孔３３より突出する雄ネジ部材３２の先端部に螺合させる蝶ナット式の雌ネジ部材３４が設けられている。
したがって、天板Ｇ２を装着する際に、雄ネジ部材３２が載置枠５の挿通孔３３を挿通され、その状態において、雌ネジ部材３４を締め付けることにより、載置枠５に対して雄ネジ部材３２を引っ張り操作して、天板Ｇ２を下方側に引っ張り操作した状態に装着できるようになっている。
【００８４】
ちなみに、本実施形態においては、左右一対の縦枠部分５Ａが前後反転姿勢で開口２の縁部に装着され、かつ、横枠部分５Ｂが、設定組付位置とは反対側に相当する開口２の後方側の縁部に隣接する位置にて、前後反転姿勢の左右一対の縦枠部分５Ａに載置される前後反転組付状態においても、載置牽制用係合部としての舌片６と嵌合孔７とが係合状態となるように構成されるものであるが、載置枠５に形成された挿通孔３３が、左右一対の縦枠部分５Ａ及び横枠部分５Ｂの前後反転組付状態においては、突起部としての雄ネジ部材３２が挿入不能となり、且つ、左右一対の縦枠部分５Ａが前後適正姿勢で開口２の縁部に装着され、かつ、横枠部分５Ｂが、設定組付位置にて、前後適正姿勢の左右一対の縦枠部分５Ａに載置される適正組付状態においては、突起部としての雄ネジ部材３２が挿入する状態で形成される挿入孔として作用することになる。
したがって、天板Ｇ２の雄ネジ部材３２が載置枠５の挿通孔３３に挿入不能となることをもって、載置枠５が前後反転組付状態であることを認識させることができるように構成されている。
【００８５】
このように、載置枠５が前後反転組付状態であることを認識させることができるため、載置枠５を適正組付状態にて組み付ける状態に装着し直すことにより、上述した誤設置防止用牽制手段Ｆの牽制作用を適切に作用させることができるようになっている。
つまり、誤設置防止用牽制手段Ｆは、上述の説明から明らかな如く、牽制用凸部Ｆａが、装着が牽制されるべき前記左端高火力型用カウンター又は前記右端高火力型用カウンターに対して、左右一対の縦枠部分５Ａが前後反転姿勢で開口２の縁部に装着された場合には、牽制用当たり部Ｆｂと接当しないように構成されることになるため、載置枠５が前後反転組付状態の場合には、牽制作用を適切に発揮しないことになるが、載置枠５が前後反転組付状態であることを認識させて、載置枠５を適正組付状態にて組み付ける状態に装着し直すようにすることができるため、誤設置防止用牽制手段Ｆの牽制作用を適切に作用させることができるのである。
【００８６】
図３及び図８に示すように、天板Ｇ２の後端側で且つ横幅方向の中央側から下方に向けて突出する状態で天板Ｇ２から連設した被係止片３５を係止して、天板Ｇ２を下方側に引っ張り移動する回動式の係止体３６が設けられている。
この係止体３６は、図２２〜図２４に示すように、ケーシング４の底壁から上方に延びる状態で設けられた筒状の支持枠体３７の上部に、横軸心Ｘ周りで回動自在に枢支されて、被係止体３５から離間する待機位置（図２２参照）と被係止体３５を係止して下方側に押圧する係止位置（図２３参照）とに回動されるように構成され、且つ、捩りコイル式のスプリング３８によって、待機位置に復帰付勢されている。
【００８７】
係止体３６を待機位置と係止位置とに回動操作する棒状体３９が、支持枠体３７の上端側に設けた雌ネジ部材４０に螺進移動自在に螺合し、且つ、下端側の挿通支持部４１に回転自在及び長手方向に移動自在に支持された状態で設けられている。
そして、棒状体３９を正逆に回転操作して螺進移動させることにより、棒状体３９の先端部にて係止体３６の被操作部３６Ａを押し操作して、係止体３６を待機位置と係止位置とに回動操作するように構成されている。
【００８８】
また、棒状体３９の下端部の操作作用部３９Ａが、ケーシング４の底壁に形成した操作用開口部４２に臨むように位置されて、棒状体３９をケーシング４の外方より回転操作できるように構成されている。
ちなみに、操作作用部３９Ａの端面には、マイナスドライバーやプラスドライバー等の回転操作具が嵌合する嵌合部が形成されて、棒状体３９を大きな力で回転操作できるように構成されている。
【００８９】
以上の通り、本実施形態の天板止着手段Ｑは、天板Ｇ２の前側部分及び横側部分については天板Ｇ２の下方から突出する状態で設けた雄ネジ部材３２を用いて止着し、且つ、天板Ｇ２の後側部分については係止体３６を用いて止着するように構成されている。
そして、雄ネジ部材３２に雌ネジ部材３４を装着する作業は、カウンタトップＫａの下方で行うことになるものの、本体部Ｇ１の前方や横側方であるため、見やすく、手が届き易い箇所であり、雌ネジ部材３４を装着する作業を良好に行える。
また、係止体３６を回動操作する作業は、カウンタトップＫａの下方で行うものの、本体部Ｇ１の底壁近くで行えるため、その作業を良好に行える。
【００９０】
これまでの説明は、本体部Ｇ１の鍔部３を含めない前後幅及び横幅が、開口２の前後幅や横幅よりもかなり小さく、本体部Ｇ１の鍔部３を含めた前後幅及び横幅が、開口２の前後幅及び横幅よりも小さい場合において、載置枠５を用いて、本体部Ｇ１の縁部３を開口２の縁部に係止させる場合について説明したが、次に、本体部Ｇ１の鍔部３を含めない前後幅及び横幅が、開口２の前後幅や横幅よりも少し小さい程度であり、本体部Ｇ１の鍔部３を含めた前後幅及び横幅が、開口２の前後幅及び横幅よりも大きい場合において、その本体部Ｇ１を開口２の縁部に係止させる場合について説明する。
【００９１】
本体部Ｇ１の鍔部３が開口の縁部に係止されることになる。つまり、前後の鍔部分３Ｆ、３Ｂが、開口２の前後の縁部ＥＦ、ＥＢに載置され、左右の鍔部分３Ｌ、３Ｒが、開口２の左右の縁部ＥＬ、ＥＲに載置されることになる。
【００９２】
そして、本体部Ｇ１の鍔部３における左右の鍔部分３Ｌ、３Ｒには、牽制用凸部Ｆａを形成するための舌片が付設されることになる。つまり、左端高火力型コンロＧＬにおいては、右方の鍔部分３Ｒに牽制用凸部Ｆａが設けられ、右端高火力型コンロＧＲにおいては、左方の鍔部分３Ｌに牽制用凸部Ｆａが設けられている。
【００９３】
本体部止着手段Ｐ、及び、天板止着手段Ｑのうちの、本体部止着手段Ｐは、上述した載置枠５を用いて本体部Ｇ１を装着する場合と同じ構成であるが、天板止着手段Ｑは、載置枠５が存在しないため、変更されている。
つまり、上述した係止体３６が、本体部Ｇ１の後方側部分に加えて、本体部Ｇ１の前方側部分にも設けられて、天板Ｇ２がカウンタトップＫａに密着するように装着されている。
【００９４】
〔別実施形態〕
次に本発明の別実施形態を説明する。
（イ）上記実施形態においては、３つのコンロバーナを横幅方向に並べた状態でビルトインコンロに備えさせる場合を例示したが、４つ以上のコンロバーナを横幅方向に並べた状態で備えさせる形態や、一対のコンロバーナを横幅方向に並べた状態で備えさせる形態で実施してもよい。
【００９５】
（ロ）上記実施形態では、ガスコンロ装備専用のカウンターに本体部や天板を装備する場合を例示したが、ガスコンロとシンクとを装備するカウンター等、種々のカウンターに装備する形態で実施してもよい。
【００９６】
（ハ）上記実施形態では、鍔部を含めた本体部の前後幅及び横幅が、開口の前後幅及び横幅よりも小さく形成される場合を例示したが、鍔部を含めた本体部の横幅を、開口の横幅よりも小さく形成して、鍔部を含めた本体部の前後幅を、開口の前後幅よりも大きく形成して、鍔における本体部の前後に位置する前後鍔部分を、開口の前後の縁部に、直接的に載置する形態で実施してもよい。
【００９８】
（ニ）上記実施形態においては、本体部Ｇ１の前側部分の上方移動をＬ字状の固定金具２１にて抑止し、且つ、本体部Ｇ１の後側部分の上方移動を固定用係止部材２５にて抑止する構成を例示したが、本体部Ｇ１の前側部分及び後側部分の上方移動を、固定用係止部材２５にて抑止するように構成してもよい。
【符号の説明】
【００９９】
３          鍔部
３Ｂ        後鍔部
１０        ガラスプレート
１２        周縁枠
１４        ガラスプレート固定具
１４ａ      縦板部分
１４ｂ      支持板部分
１４ｃ      係合凸部
２５        固定用係止部材
２５Ａ      縦壁部
２５Ｂ      接続部
２６        切欠き部
２７        ビス
２８        螺合孔
２９        支持枠
２９Ａ      接続部
３０        支持台
Ｇ１        本体部
Ｇ２        天板
Ｋａ        カウンタトップ
Ｐ          本体部止着手段
【図１】
0005600284.tif 000002
【図２】
0005600284.tif 000003
【図３】
0005600284.tif 000004
【図４】
0005600284.tif 000005
【図５】
0005600284.tif 000006
【図６】
0005600284.tif 000007
【図７】
0005600284.tif 000008
【図８】
0005600284.tif 000009
【図９】
0005600284.tif 000010
【図１０】
0005600284.tif 000011
【図１１】
0005600284.tif 000012
【図１２】
0005600284.tif 000013
【図１３】
0005600284.tif 000014
【図１４】
0005600284.tif 000015
【図１５】
0005600284.tif 000016
【図１６】
0005600284.tif 000017
【図１７】
0005600284.tif 000018
【図１８】
0005600284.tif 000019
【図１９】
0005600284.tif 000020
【図２０】
0005600284.tif 000021
【図２１】
0005600284.tif 000022
【図２２】
0005600284.tif 000023
【図２３】
0005600284.tif 000024
【図２４】
0005600284.tif 000025
【図２５】
0005600284.tif 000026
【図２６】
0005600284.tif 000027
【図２７】
0005600284.tif 000028
【図２８】
0005600284.tif 000029
【図２９】
0005600284.tif 000030